(57)【要約】【課題】装置設定の手間を省き、確実に発信者情報を取得することができる通信装置を提供すること。【解決手段】ＭＦＣ１は、発呼側の発信者情報を通知するサービスを有する電話回線７０に接続されるとともに、外付電話５０が接続される。ＣＰＵ３０は、外付電話５０が電話回線７０から到来する信号に対して応答したか否かを検出する。ＣＰＵ３０は、ＣＡＲ信号（情報受信端末起動信号）が到来する場合に、ＣＡＲ信号の終了点を検出する。ＣＰＵ３０は、ＣＡＲ信号を受信している期間中に、外付電話５０が応答したことを検出した場合には、外付電話５０のデータ経路をモニタすることで、発信者情報を取得する。ＣＰＵ３０は、ＣＡＲ信号を受信している期間中に、外付電話５０が応答したことを検出せず、かつ、ＣＡＲ信号の終了点を検出した場合には、応答を行い発信者情報を取得する。ＣＰＵ３０は、取得した発信者情報を表示部４１へ表示する。【選択図】図２
2011166479.tif 000002
【特許請求の範囲】
【請求項１】
発呼側の発信者情報を通知するサービスを有する通信回線に接続されるとともに、外部通信装置を接続する接続手段を有する通信装置において、
前記通信回線から到来する到来信号の種類を判別する判別手段と、
前記外部通信装置が前記到来信号に対して応答したか否かを検出する応答検出手段と、
前記到来信号が情報受信端末起動信号である場合に、該情報受信端末起動信号の終了点を検出する終了点検出手段と、
前記判別手段で前記情報受信端末起動信号を受信していることが判別している期間中に、前記応答検出手段で前記外部通信装置が応答したことが検出される場合には、前記外部通信装置のデータ経路をモニタすることで、前記外部通信装置が受信した前記発信者情報を取得する第１取得手段と、
前記判別手段で前記情報受信端末起動信号を受信していることが判別している期間中に、前記応答検出手段で前記外部通信装置が応答したことが検出されず、かつ、前記終了点検出手段で前記終了点が検出される場合には、前記情報受信端末起動信号に対して応答を行い前記発信者情報を取得する第２取得手段と、
取得した前記発信者情報を前記通信装置が備える表示部へ表示する表示手段と、
を備えることを特徴とする通信装置。
【請求項２】
前記外部通信装置を前記通信回線に接続するか否かを制御するための外部通信装置接続手段と、
前記外部通信装置が前記発信者情報の受信に成功したか否かを検出する受信状態検出手段と
をさらに備え、
前記第１取得手段は、前記受信状態検出手段で受信に成功しなかったと判断される場合には、前記外部通信装置接続手段によって前記外部通信装置を前記通信回線から切り離された状態とする
ことを特徴とする請求項１に記載の通信装置。
【請求項３】
前記判別手段は、
前記到来信号のオン時間およびオフ時間を測定する測定手段を備え、
測定した前記オン時間および前記オフ時間に基づいて前記到来信号の種類を判別する
ことを特徴とする請求項１または２に記載の通信装置。
【請求項４】
前記情報受信端末起動信号は、特定の波形が所定回数繰り返される信号であり、
前記終了点検出手段は、前記特定の波形の繰り返し数が前記所定回数に近づいたことを検出する
ことを特徴とする請求項１ないし３の何れか１項に記載の通信装置。
【請求項５】
前記情報受信端末起動信号は、前記通信回線から所定時間の間送信されてくる信号であり、
前記終了点検出手段は、前記情報受信端末起動信号が送信されてくる時間が前記所定時間に近づいたことを検出する
ことを特徴とする請求項１ないし３の何れか１項に記載の通信装置。
【請求項６】
前記通信回線の接続用の回線接続端子と、
前記回線接続端子と前記通信装置の主制御部との接続経路上に備えられ、デジタル信号とアナログ信号とを相互に変換するモデム部と、
前記通信回線を前記モデム部に閉結するか否かを制御するための通信回線閉結手段と、
前記電話回線閉結手段をバイパスするハイインピーダンスのバイパス経路と
をさらに備え、
前記第１取得手段は、前記バイパス経路および前記モデム部を介して前記外部通信装置のデータ経路をモニタする
ことを特徴とする請求項１ないし５の何れか１項に記載の通信装置。
【発明の詳細な説明】
【技術分野】
【０００１】
本願は、交換機から発呼側の発信者情報が送信されてくるナンバーディスプレイサービスに対応した通信装置に関する。
【背景技術】
【０００２】
特許文献１には、電話回線を介して通信を行うファクシミリ装置等の通信装置であって、交換機から発呼側の発信者情報が送信されてくるサービスに対応した通信装置が開示されている。当該通信装置に更に外部通信装置（音声通話用の電話機など）が接続される場合には、発呼側電話番号の検出シーケンスを外部通信装置と本体通信装置側との何れで実行するかについての設定が、ユーザ等によって行われる。本体通信装置で検出シーケンスを行う場合は、発呼側電話番号の検出後に通信回線と本体通信装置との間の直流ループを切断することで、交換機側に検出完了信号を送出する。一方、外部通信装置で検出シーケンスを行う場合は、本体通信装置がこの検出シーケンスをモニタして発呼側電話番号を入手しても、本体通信装置が交換機に検出完了信号を送出しないようにし、外部通信装置に検出完了信号を送出させる。これにより、本体通信装および外部通信装置で、発呼側電話番号などの表示が行われる。
【先行技術文献】
【特許文献】
【０００３】
【特許文献１】特開２００１−１６３６０号公報
【発明の概要】
【発明が解決しようとする課題】
【０００４】
特許文献１の通信装置では、例えば、外部通信装置で検出シーケンスを行う装置設定としている場合に、外部通信装置を取り外すなどして装置設定と装置構成が一致しなくなると、外部通信装置から検出完了信号を送出するという応答動作が行われなくなるため、発呼側の発信者情報を取得することができなくなる。すなわち、発呼側の発信者情報を取得するためには、装置設定を実際の装置構成に一致させる必要がある。
本明細書では、このような不便性を解消することができる技術を提供する。
【課題を解決するための手段】
【０００５】
本願の通信装置は、発呼側の発信者情報を通知するサービスを有する通信回線に接続されるとともに、外部通信装置を接続する接続手段を有する。通信装置は、通信回線から到来する到来信号の種類を判別する判別手段と、外部通信装置が到来信号に対して応答したか否かを検出する応答検出手段と、到来信号が情報受信端末起動信号である場合に、該情報受信端末起動信号の終了点を検出する終了点検出手段と、を備える。また、判別手段で情報受信端末起動信号を受信していることが判別している期間中に、応答検出手段で外部通信装置が応答したことが検出される場合には、外部通信装置のデータ経路をモニタすることで、外部通信装置が受信した発信者情報を取得する第１取得手段を備える。また、判別手段で情報受信端末起動信号を受信していることが判別している期間中に、応答検出手段で外部通信装置が応答したことが検出されず、かつ、終了点検出手段で終了点が検出される場合には、情報受信端末起動信号に対して応答を行い発信者情報を取得する第２取得手段を備える。また、取得した発信者情報を通信装置が備える表示部へ表示する表示手段を備える。
【０００６】
発呼側の発信者情報の一例としては、電話番号や発信者の氏名などが挙げられる。また、外部通信装置の一例としては、外付電話が挙げられる。また、到来信号の一例としては、情報受信端末起動信号や呼出信号が挙げられる。また、応答検出手段の一例としては、直流ループを検出する電流検出回路が挙げられる。情報受信端末起動信号に対する応答は、通信回線を閉結して直流ループを形成することで行われる。応答が交換機で受信されると、交換機からは発信者情報を含んだモデム信号が送信されてくる。そして、当該モデム信号を受信することで、発信者情報を取得することができる。
【発明の効果】
【０００７】
情報受信端末起動信号に対して外部通信装置が応答した場合には、発信者情報が外部通信装置のデータ経路を経由して外部通信装置で受信される。また、通信装置は、外部通信装置のデータ経路をモニタすることで、発信者情報を取得することができる。そして、取得した発信者情報を、通信装置の表示部に表示することができる。
【０００８】
一方、情報受信端末起動信号に対して外部通信装置が応答しない場合がある。例えば、外部通信装置に発信者情報表示機能が搭載されていない場合や、外部通信装置が通信装置に接続されていない場合などである。この場合、情報受信端末起動信号の終了点で、通信装置が情報受信端末起動信号に対して応答する。これにより、通信装置は、発信者情報を受信することができる。
【０００９】
これにより、情報受信端末起動信号に対して外部通信装置が応答するか否かに係らず、通信装置は発信者情報を取得することが可能となる。すると、発信者情報を取得するために、装置構成（外部通信装置の通信装置への接続の有無など）に一致するように、装置設定（情報受信端末起動信号に対して通信装置と外部通信装置の何れが応答するかなど）を行う必要を無くすことができる。よって、ユーザの装置設定の手間を省くことができるため、通信装置の利便性を向上させることができる。
【００１０】
また、外部通信装置が発信者情報を通知するサービスに対応している場合には、取得した発信者情報を外部通信装置に表示することができると共に、取得した発信者情報を通信装置にも表示することが可能となる。
【図面の簡単な説明】
【００１１】
【図１】ＭＦＣ１の構成を表すブロック図である。
【図２】第１実施形態に係る着信時動作の具体例を示すフロー図（その１）である。
【図３】第１実施形態に係る着信時動作の具体例を示すフロー図（その２）である。
【図４】第１実施形態に係る着信時動作の具体例を示すフロー図（その３）である。
【図５】情報受信端末起動信号の具体例を示す波形図である。
【図６】呼出信号の具体例を示す波形図である。
【図７】第２実施形態に係る着信時動作の具体例を示すフロー図である。
【発明を実施するための形態】
【００１２】
第１実施形態に係るＭＦＣ（多機能機）１の構成を表すブロック図を、図１に示す。図１は、回線接続端子１２に電話回線７０が接続され、電話接続端子１１に外付電話５０が接続された状態を示す図である。ＭＦＣ１は、電話回線７０を介して交換機７１に接続される。交換機７１は、発呼側の発信者情報を通知するサービスを実行する交換機である。発呼側の発信者情報の一例としては、電話番号や発信者の氏名などが挙げられる。
【００１３】
ＭＦＣ１は、外部通信装置の一例としての外付電話５０を接続可能な電話接続端子１１と、電話回線７０を接続可能な回線接続端子１２とを備えている。電話接続端子１１、回線接続端子１２は、いずれもＭＦＣ１の外部に露出した同一形状のモジュラージャックとして構成されており、２つの接点１１Ａおよび１１Ｂと、接点１２Ａおよび１２Ｂをそれぞれ備えている。また、接点１２Ａとトランス１７の一端とを接続する通電経路１３Ａと、接点１２Ｂとトランス１７の他端とを接続する通電経路１３Ｂとが備えられる。
【００１４】
リレー１５は、電話接続端子１１側に設けられる。リレー１５は、リレー切替信号ＲＳＳに基づいて、接点Ｘと接点Ｙとを選択可能に切り替えるリレーである。リレー１５の接点Ｘは、接点１１Ａを通電経路１３Ａに第１ノードＮ１で接続し、接点１１Ｂを通電経路１３Ｂに第２ノードＮ２で接続する。よって接点Ｘが選択されると、電話接続端子１１の接続先が、モデム部３９および回線接続端子１２とされる。また、リレー１５の接点Ｙは、鳴動回路１８に接続される。よって接点Ｙが選択されると、電話接続端子１１の接続先が鳴動回路１８とされる。リレー１５は、電話回線７０からの情報受信端末起動信号の待ち受け状況では、接点Ｘを選択して外付電話５０を電話回線７０に接続した状態に維持するとしてもよい。
【００１５】
極性反転回路３３は、電話回線７０の極性反転を検出する回路である。信号検知部３８は、情報受信端末起動信号（ＣＡＲ信号）や呼出信号を検出する回路である。
【００１６】
鳴動回路１８は、電話回線７０を介して入力される呼出信号の代わりとなる擬似呼出信号を、ＣＰＵ３０からの指令に基づいて出力する周知の回路である。すなわち、リレー１５の接続先を接点Ｙとしておけば、鳴動回路１８から外付電話５０に擬似呼出信号を出力することができ、着信の有無に関わらず外付電話５０を鳴動させることができる。
【００１７】
また、電話接続端子１１とリレー１５と間の通電経路上には、電流検出回路１９が備えられる。電流検出回路１９は、通電経路に流れる電流の有無を検出し、検出結果を電流検出信号ＩＤＳとしてＣＰＵ３０へ出力する。
【００１８】
リレー１６は、回線接続端子１２側の、第１ノードＮ１とトランス１７との接続経路上に設けられる。リレー１６は、通電経路１３Ａをオン・オフし、回線接続端子１２をトランス１７に接続するか否かを制御することで、電話回線を閉結するか否かを制御することができる。トランス１７は、電話回線７０から入力された通信データを、絶縁状態を保持しつつモデム部３９に伝達する回路である。また、モデム部３９は、デジタル信号とアナログ信号とを相互に変換する周知の回路である。
【００１９】
リレー１６をオンにすることで、経路ＲＬ１の直流ループが形成され、モデム部３９が電話回線７０と閉結される。また、リレー１６をバイパスするように備えられる抵抗３４によって、バイパス経路ＲＬ２（接点１２Ａ、第１ノードＮ１、抵抗３４、トランス１７、第２ノードＮ２、接点１２Ｂを通る経路）の直流ループが形成されており、モデム部３９が電話回線７０と常に閉結された状態とされている。また、外付電話５０のデータ経路（接点１２Ａ、第１ノードＮ１、電流検出回路１９、接点１１Ａ、外付電話５０、接点１１Ｂ、電流検出回路１９、第２ノードＮ２、接点１２Ｂ）によって、外付電話５０が電話回線７０と閉結される。
【００２０】
データ経路によって外付電話５０が信号を受信している際には、リレー１６は非接続状態とされ、経路ＲＬ１は遮断される。しかし、バイパス経路ＲＬ２を用いることによって、外付電話５０が受信した信号をモデム部３９でもモニタすることができる。また、バイパス経路ＲＬ２は、抵抗３４を経由しているため、ハイインピーダンスとなっている。よって、電流量が少ないため、交換機７１側からはバイパス経路ＲＬ２の直流ループの存在を検知することができない。よって、バイパス経路ＲＬ２を用いる際に、外付電話５０の応答動作に影響を与えることはない。
【００２１】
主制御部２９には、ＣＰＵ３０、ＲＯＭ３１、ＲＡＭ３２が備えられる。ＣＰＵ３０は、ＲＯＭ３１に記憶されたプログラムに基づき、ＭＦＣ１を制御する回路である。ＣＰＵ３０には、モデム部３９、極性反転回路３３、信号検知部３８、鳴動回路１８、表示部４１、内蔵電話４３、操作部４４などが接続される。ＲＡＭ３２には、後述する各種のパラメータ（状態フラグ、オン時間セットエリア、オフ時間セットエリア、入力数ｎ、など）が記憶される。
【００２２】
表示部４１は、ＭＦＣ１の筐体表面（不図示）に設けられた、液晶パネルなどの装置である。内蔵電話４３は、ＭＦＣ１に予め備えられる、音声通話用の受話器である。操作部４４は、ＭＦＣ１の筐体表面に設けられた、テンキーなどの入力装置である。また、ＣＰＵ３０からはリレー切替信号ＲＳＳおよびリレー制御信号ＳＣＳが出力され、ＣＰＵ３０には電流検出信号ＩＤＳが入力される。
【００２３】
第１実施例に係るＭＦＣ１の着信時動作を説明する。着信時動作について、図２ないし図４のフロー図と、図５の情報受信端末起動信号の波形図を用いて説明する。着信時動作は、交換機７１から電話回線７０を介して、音声通話やＦＡＸ通信が着信した場合などに行われる動作である。なお、ＭＦＣ１の初期状態において、リレー１５の接続先が接点Ｘとされ、外付電話５０が電話回線７０に接続されている場合を説明する。また、リレー１６が非接続状態とされ、電話回線７０にモデム部３９が閉結されていない場合を説明する。また、ＭＦＣ１の初期状態において、状態フラグがオフ状態とされ、オン状態カウンタおよびオフ状態カウンタが０とされ、オン時間セットエリアおよびオフ時間セットエリアが０とされ、入力数ｎが０とされる場合を説明する。
【００２４】
Ｓ１１では、極性反転が検出されたか否かが判断される。極性反転は、各種の信号が交換機７１から送出開始される旨を、ＭＦＣ１へ知らせるための信号である。各種の信号の一例としては、情報受信端末起動信号や呼出信号が挙げられる。極性反転が検出されると、Ｓ１３へ進み、信号検出動作へ移行する。なお、ＣＩ信号ポートを常に監視する場合には、Ｓ１１を省略することも可能である。
【００２５】
Ｓ１３では、ＣＩ信号ポートのオン状態が検出されたか否かが、ＣＩ信号ポートを直接監視することで判断される。Ｓ１３の動作は、所定のサイクルタイム（例えば６０Ｈｚ）で繰り返し実行される。Ｓ１３において、入力信号がオン状態（ハイレベル）であればＳ１５へ進む。Ｓ１５において、オン状態カウンタを＋１し、Ｓ１９へ進む。一方、入力信号がオフ状態（ローレベル）であればＳ１７へ進む。Ｓ１７において、オフ状態カウンタを＋１し、Ｓ１９へ進む。
【００２６】
Ｓ１９では、ＲＡＭ３２に記憶されている状態フラグがオン状態であるか否かが判断される。状態フラグがオフ状態である場合（Ｓ１９：ＮＯ）には、Ｓ２１に進む。Ｓ２１では、今回のサイクルでＣＩ信号ポートがオンからオフへ遷移したか否かが判断される。今回のサイクルでオフ状態へ遷移していない場合（Ｓ２１：ＮＯ）にはＳ１３へ戻り、今回のサイクルでオフ状態へ遷移した場合（Ｓ２１：ＹＥＳ）にはＳ２３に進む。
【００２７】
Ｓ２３において、オン状態カウンタのカウント数が、ＲＡＭ３２のオン時間セットエリアに記憶される。また、オン状態カウンタおよびオフ状態カウンタが０にリセットされる。Ｓ１３の動作は、所定のサイクルタイム（例えば６０Ｈｚ）で繰り返し実行されるため、オン状態カウンタのカウント数によって入力信号のオン時間を計測することができる。そして、Ｓ２４において、ＲＡＭ３２内の状態フラグがオン状態にセットされる。
【００２８】
Ｓ２５において、外付電話５０が一次閉結されたか否かが判断される。外付電話５０が一次閉結されると、情報受信端末起動信号に対して一次応答が行われたことになる。一次閉結の検出は、電流検出回路１９で直流ループが検出されるか否かによって行われる。一次閉結されたと判断される場合（Ｓ２５：ＹＥＳ）にはＳ５１（図３）へ進み、一次閉結されていないと判断される場合（Ｓ２５：ＮＯ）にはＳ１３へ戻る。
【００２９】
また、Ｓ１９において、状態フラグがオン状態の場合（Ｓ１９：ＹＥＳ）には、Ｓ２７に進む。Ｓ２７では、今回のサイクルでＣＩ信号ポートがオフからオンへ遷移したかが判断される。今回のサイクルでオン状態へ遷移していない場合（Ｓ２７：ＮＯ）にはＳ１３へ戻り、今回のサイクルでオン状態へ遷移した場合（Ｓ２７：ＹＥＳ）にはＳ２９に進む。
【００３０】
Ｓ２９において、オフ状態カウンタのカウント数が、ＲＡＭ３２のオフ時間セットエリアに記憶される。また、オン状態カウンタおよびオフ状態カウンタが０にリセットされる。これにより、オフ状態カウンタのカウント数によって入力信号のオフ時間を計測することができる。そして、Ｓ３０において、ＲＡＭ３２内の状態フラグがオフ状態にセットされる。
【００３１】
Ｓ３１において、情報受信端末起動信号（ＣＡＲ信号）が検出されたか否かが判断される。当該判断は、オン時間セットエリアに記憶されているオン時間と、オフ時間セットエリアに記憶されているオフ時間を用いて行われる。
【００３２】
図５に示すように、情報受信端末起動信号（ＣＡＲ信号）は、０．５秒のオン時間と０．５秒のオフ時間とを有するパルス波形が約６秒間繰り返される信号である。また図６に示すように、呼出信号は、１秒のオン時間と２秒のオフ時間とを有するパルス波形が繰り返される信号である。よって、交換機７１から受信した信号のオン時間およびオフ時間を測定することで、情報受信端末起動信号と呼出信号の何れを受信したのかを判別することができる。
【００３３】
オン時間とオフ時間が共に０．５秒でない場合には、呼出信号を受信していると判断され（Ｓ３１：ＮＯ）、Ｓ３３へ進む。Ｓ３３では、次回の呼出信号から鳴動動作が行われる。
【００３４】
一方、オン時間とオフ時間が共に０．５秒である場合には、情報受信端末起動信号を受信していると判断され（Ｓ３１：ＹＥＳ）、Ｓ３４へ進む。Ｓ３４において、情報受信端末起動信号の入力数ｎが１カウントアップされる。
【００３５】
Ｓ３５において、外付電話５０が一次閉結されたか否かが判断される。一次閉結されたと判断される場合（Ｓ３５：ＹＥＳ）には、外付電話５０が情報受信端末起動信号に対して一次応答した場合であると判断され、Ｓ５１（図３）へ進む。なお、外付電話５０が一次応答した場合における発信者情報の取得動作は、図３のフローを用いて後述する。
【００３６】
一方、Ｓ３５において、外付電話５０が一次閉結されていないと判断される場合（Ｓ３５：ＮＯ）には、Ｓ４１へ進む。Ｓ４１において、入力数ｎが設定回数（５回）よりも小さいか否かが判断される。設定回数は、例えば、予めユーザ等によって設定される。
【００３７】
なお、設定回数は５回に限られない。情報受信端末起動信号のパルス波形を６回受信するまでに、交換機７１に対して一次応答しない場合には、タイムアウトとなる。すると、ＭＦＣ１側がナンバーディスプレイサービスに非対応であると判断され、発信者情報が交換機７１から送信されて来なくなる。よって、設定回数は、情報受信端末起動信号のパルス波形の最大繰り返し数（６回）以下であれば、何れの回数でもよい。
【００３８】
入力数ｎが５回よりも小さい場合（Ｓ４１：ＹＥＳ）には、まだタイムアウトではないと判断され、Ｓ１３へ戻る。一方、入力数ｎが５回以上である場合（Ｓ４１：ＮＯ）には、情報受信端末起動信号の終了点（図５、時刻ｔ６）に近づいたことが検出される。よって、外付電話５０が情報受信端末起動信号に対して一次応答しない場合であると判断され、Ｓ８１（図４）へ進み、ＭＦＣ１によって一次応答が行われる。これにより、ＭＦＣ１は、外付電話５０が情報受信端末起動信号に対して一次応答するか否かを、情報受信端末起動信号のタイムアウトの直前まで待機して監視することが可能となる。
【００３９】
外付電話５０が一次応答した場合の動作を、図３のフローチャートを用いて説明する。Ｓ５１においてＣＰＵ３０は、モデム部３９の設定を、電話番号を取れるモード（Ｖ．２３信号取得可能なモード）に設定する。
【００４０】
外付電話５０での一次応答が交換機７１で受信されると、交換機７１から外付電話５０へは、発信者情報を含んだモデム信号が送信されてくる。Ｓ５３において、ＣＰＵ３０は、外付電話５０のデータ経路をバイパス経路ＲＬ２を用いてモニタすることで、外付電話５０が受信している発信者情報を取得する。なお、バイパス経路ＲＬ２はハイインピーダンスであるため、交換機７１側からはバイパス経路ＲＬ２の直流ループの存在を検知することができない。よって、外付電話５０の応答動作に影響を与えることなく、外付電話５０が受信している発信者情報を、ＭＦＣ１でも取得することができる。
【００４１】
Ｓ５５において、ＣＰＵ３０は、タイマを待機時間（７秒）にセットする。待機時間は、交換機７１がモデム信号を送出してから、受信完了信号をＭＦＣ１から受信するまでの間の待ち時間である。なお、待機時間は７秒に限られず、交換機７１の仕様等に応じた値としてもよい。また、待機時間は、予めユーザ等によって入力されてもよい。
【００４２】
Ｓ５７において、ＣＰＵ３０は、外付電話５０が交換機７１へ受信完了信号を送出したか否かを判断する。受信完了信号は、外付電話５０の回線開放に応じて送出される信号である。電流検出回路１９によって直流ループの切断が検出されると、受信完了信号が送出されたと判断され（Ｓ５７：ＹＥＳ）、Ｓ６３へ進む。
【００４３】
一方、受信完了信号が送出されていないと判断される場合（Ｓ５７：ＮＯ）にはＳ５８へ進み、ＣＰＵ３０は、待機時間（７秒）をタイムアップしたか否かを判断する。タイムアップしていないと判断される場合（Ｓ５８：ＮＯ）には、Ｓ５７へ戻り、受信完了信号の監視が続行される。一方、タイムアップしたと判断される場合（Ｓ５８：ＹＥＳ）には、外付電話５０がモデム信号の受信に成功しなかったと判断され、Ｓ５９へ進む。Ｓ５９へ進み、ＣＰＵ３０は、リレー１５を接点Ｘ側から接点Ｙ側へ倒すことで、外付電話５０を電話回線７０から切り離された状態とする。そしてＳ６１に進み、ＣＰＵ３０は、“外付電話を確認してください”の旨を表示部４１に表示し、ユーザに外付電話５０に異常が発生していないかの確認を促す。そしてＳ６３へ進む。
【００４４】
外付電話５０がモデム信号の受信に成功しない場合は、外付電話５０の故障等の異常発生時である。この場合においても、ＭＦＣ１は外付電話５０のデータ経路をバイパス経路ＲＬ２でモニタすることで、発信者情報を取得できる。そして、異常が発生した外付電話５０を電話回線７０から切り離すことで、異常が発生した外付電話５０を用いて通話が行われてしまう事態を防止することができる。
【００４５】
Ｓ６３においてＣＰＵ３０は、モデム部３９の設定を、通常モード（ＤＴＭＦ信号取得などの待機状態でのモード）に戻す。Ｓ６５において、ＣＰＵ３０は、取得した発信者情報（電話番号）を表示部４１に表示する。
【００４６】
Ｓ６７において、交換機７１から次の呼出信号が着信することに応じて、外付電話５０が鳴動する。Ｓ６９において、ＣＰＵ３０は、鳴動に対応して内蔵電話４３のハンドセットが上げられ、オフフック状態とされたか否かを判断する。オフフック状態とされた場合（Ｓ６９：ＹＥＳ）には、Ｓ７１に進み、ＣＰＵ３０は、内蔵電話４３での通話処理を行う。そしてＳ７２へ進む。
【００４７】
Ｓ７２において、ＣＰＵ３０は、内蔵電話４３のハンドセットが下げられ、オンフック状態とされたか否かを判断する。オンフック状態とされていない場合（Ｓ７２：ＮＯ）には通話状態が維持される。一方、オンフック状態とされた場合（Ｓ７２：ＹＥＳ）には、通話が終了したと判断され、Ｓ７７へ進む。
【００４８】
また、内蔵電話４３がオフフック状態とされない場合（Ｓ６９：ＮＯ）には、Ｓ７３に進み、ＣＰＵ３０は、外付電話５０のハンドセットが上げられ、オフフック状態とされたか否かを判断する。オフフック状態とされていない場合（Ｓ７３：ＮＯ）にはＳ６９へ戻り、監視が続行される。一方、オフフック状態とされた場合（Ｓ７３：ＹＥＳ）にはＳ７５へ進む。
【００４９】
Ｓ７５において、ＣＰＵ３０は、外付電話５０のハンドセットが下げられ、オンフック状態とされたか否かを判断する。オンフック状態とされていない場合（Ｓ７５：ＮＯ）には通話状態が維持され、オンフック状態とされた場合（Ｓ７５：ＹＥＳ）にはＳ７７へ進む。
【００５０】
Ｓ７７において、ＣＰＵ３０は、リレー１５が接点Ｙ側に倒れている場合には、接点Ｘ側へ倒す。これにより、外付電話５０が電話回線７０から切り離されている場合には、外付電話５０が電話回線７０へ再接続される。そしてフローが終了される。
【００５１】
以上より、外付電話５０が情報受信端末起動信号に一次応答した場合には、バイパス経路ＲＬ２を用いることで、ＭＦＣ１側でも発信者情報が取得され、発信者情報が表示部４１に表示される。
【００５２】
ＭＦＣ１が一次応答した場合の動作を、図４のフローチャートを用いて説明する。Ｓ８１において、ＣＰＵ３０は、リレー１６を接続状態にすることで、ＭＦＣ１を電話回線７０に1次閉結する。Ｓ８３において、ＣＰＵ３０は、モデム部３９の設定を、電話番号を取れるモード（Ｖ．２３信号取得可能なモード）に設定する。Ｓ８５において、ＣＰＵ３０は、経路ＲＬ１によって発信者情報を取得する。
【００５３】
Ｓ８７において、ＣＰＵ３０は、リレー１６を非接続状態とし、回線を開放する。これにより、受信完了信号がＭＦＣ１から電話回線７０へ送出される。Ｓ８９においてＣＰＵ３０は、モデム部３９の設定を、通常モード（ＤＴＭＦ信号取得などの待機状態でのモード）に戻す。
【００５４】
Ｓ９１において、ＣＰＵ３０は、取得した発信者情報を表示部４１に表示する。Ｓ９３において、交換機７１から次の呼出信号が着信することに応じて、ＭＦＣ１が鳴動する。Ｓ９５において、ＣＰＵ３０は、鳴動に対応して内蔵電話４３のハンドセットが上げられたか否かを判断する。ハンドセットが上げられた場合（Ｓ９５：ＹＥＳ）には、Ｓ９７に進み、ＣＰＵ３０は、内蔵電話４３での通話処理を行う。一方、ハンドセットが上げられない場合（Ｓ９５：ＮＯ）にはＳ９９へ進み、ＣＰＵ３０は、外付電話５０のハンドセットが上げられたか否かを判断する。ハンドセットが上げられていない場合（Ｓ９９：ＮＯ）にはＳ９５へ戻り、監視が続行される。また、外付電話５０のハンドセットが上げられた場合（Ｓ９９：ＹＥＳ）には、ＭＦＣ１での処理を終了する。
【００５５】
以上より、ＭＦＣ１が情報受信端末起動信号に一次応答した場合には、経路ＲＬ１を用いることで、ＭＦＣ１で発信者情報が取得され、発信者情報が表示部４１に表示される。
【００５６】
図２および図５を用いて、着信時動作の具体例を説明する。説明の簡略化のため、ＭＦＣ１で情報受信端末起動信号の一次応答を行うか否かを判断するまで（Ｓ１１からＳ４１まで）の動作を説明する。また例として、交換機７１から情報受信端末起動信号（ＣＡＲ信号）を受信する場合を説明する。また、外付電話５０では情報受信端末起動信号に対する一次応答が行われない場合を説明する。
【００５７】
図５の波形図における、期間Ｐ１での動作を説明する。時刻ｔ１において極性反転が検出され（Ｓ１１：ＹＥＳ）、フローが開始される。期間Ｐ１では、状態フラグがオフ状態であり（Ｓ１９：ＮＯ）、ＣＩ信号ポートがオンからオフへ遷移していない（Ｓ２１：ＮＯ）。よって、所定周期（６０Ｈｚ）でオフが検出（Ｓ１３：ＮＯ）されるたびに、オフ状態カウンタがカウントアップ（Ｓ１７）されるループが繰り返される。
【００５８】
期間Ｐ２での動作を説明する。時刻ｔ２においてＣＩ信号ポートがオフからオンへ遷移すると、オンが検出（Ｓ１３：ＹＥＳ）され、オン状態カウンタがカウントアップ（Ｓ１５）する。また期間Ｐ２では、状態フラグがオフ状態であり（Ｓ１９：ＮＯ）、ＣＩ信号ポートがオンからオフへ遷移していない（Ｓ２１：ＮＯ）。よって所定周期でオンが検出（Ｓ１３：ＹＥＳ）されるたびに、オン状態カウンタがカウントアップ（Ｓ１５）されるループが繰り返される。
【００５９】
期間Ｐ３での動作を説明する。時刻ｔ３においてＣＩ信号ポートがオンからオフへ遷移すると、オフが検出（Ｓ１３：ＮＯ）され、オフ状態カウンタがカウントアップ（Ｓ１７）する。また時刻ｔ３では、状態フラグがオフ状態であり（Ｓ１９：ＮＯ）、ＣＩ信号ポートがオンからオフへ遷移した（Ｓ２１：ＹＥＳ）ため、オン時間（期間Ｐ２の長さ（０．５秒））がオン時間セットエリアに記憶されると共に、オン状態カウンタおよびオフ状態カウンタが０にリセットされる（Ｓ２３）。また、状態フラグがオン状態にセットされる（Ｓ２４）。また、外付電話５０が一次閉結されない場合を説明しているため（Ｓ２５：ＮＯ）、Ｓ１３へ戻る。その後の期間Ｐ３では、状態フラグがオン状態であり（Ｓ１９：ＹＥＳ）、ＣＩ信号ポートがオフからオンへ遷移していない（Ｓ２７：ＮＯ）。よって、所定周期でオフが検出（Ｓ１３：ＮＯ）されるたびに、オフ状態カウンタがカウントアップ（Ｓ１７）されるループが繰り返される。
【００６０】
期間Ｐ４での動作を説明する。時刻ｔ４においてＣＩ信号ポートがオフからオンへ遷移すると、オンが検出（Ｓ１３：ＹＥＳ）され、オン状態カウンタがカウントアップ（Ｓ１５）する。また時刻ｔ４では、状態フラグがオン状態であり（Ｓ１９：ＹＥＳ）、ＣＩ信号ポートがオフからオンへ遷移した（Ｓ２７：ＹＥＳ）ため、オフ時間（期間Ｐ３の長さ（０．５秒））がオフ時間セットエリアに記憶されると共に、オン状態カウンタおよびオフ状態カウンタが０にリセットされる（Ｓ２９）。また、状態フラグがオフ状態にセットされる（Ｓ３０）。
【００６１】
オン時間セットエリアに記憶されたオン時間、および、オフ時間セットエリアに記憶されたオフ時間が共に０．５秒であるため、情報受信端末起動信号（ＣＡＲ信号）が検出される（Ｓ３１：ＹＥＳ）。入力数ｎが０から１カウントアップされて１となり（Ｓ３４）、入力数ｎが５よりも小さい（Ｓ４１：ＹＥＳ）ため、Ｓ１３へ戻る。
【００６２】
以下、上記ループが繰り返され、０．５秒のオン時間と０．５秒のオフ時間とを有するパルス波形が繰り返し検出される。そして時刻ｔ５において、入力数ｎが５以上（Ｓ４１：ＮＯ）となると、外付電話５０が情報受信端末起動信号に対して一次応答しない場合であると判断され、ＭＦＣ１が一次応答する（Ｓ８１）。
【００６３】
第１実施形態の説明例に係るＭＦＣ１の効果を説明する。ＭＦＣ１に外付電話５０が接続されている場合に、情報受信端末起動信号に対して外付電話５０が一次応答しない場合がある。例えば、外付電話５０にナンバーディスプレイ機能が搭載されていない場合や、外付電話５０が電話接続端子１１に接続されていない場合などである。本願のＭＦＣ１では、このような場合には、情報受信端末起動信号の終了点で、ＭＦＣ１が情報受信端末起動信号に対して一次応答する。これにより、情報受信端末起動信号に対する一次応答がタイムアウトしてしまうことが防止されるため、確実に発信者情報を受信することが可能となる。
【００６４】
そして本願のＭＦＣ１では、情報受信端末起動信号（ＣＡＲ信号）に対して外付電話５０が一次応答するか否かに係らず、ＭＦＣ１は発信者情報を取得することが可能となる。すると、発信者情報を取得するために、装置構成（外付電話５０の電話接続端子１１への接続の有無など）に一致するように、装置設定（情報受信端末起動信号に対してＭＦＣ１と外付電話５０の何れが一次応答するかなど）を行う必要を無くすことができる。よって、ユーザの装置設定の手間を省くことができるため、ＭＦＣ１の利便性を向上させることができる。
【００６５】
第２実施形態に係るＭＦＣ１の着信時動作を、図７のフローチャートを用いて説明する。第２実施形態は、情報受信端末起動信号（ＣＡＲ信号）の終了点を、情報受信端末起動信号の継続時間を用いて検知する形態である。なお、装置構成（図１）や、一次応答後の動作（図３、図４）などは、第１実施形態と同様であるため、ここでは詳細な説明は省略する。
【００６６】
図７のＳ１１からＳ３４までの動作は、第１実施形態（図２）のＳ１１からＳ３４までの動作と同様であるため、詳細な説明は省略する。Ｓ１３５において、検出された情報受信端末起動信号のパルス波形が１回目のパルス波形であるか否かが判断される。１回目である場合には、情報受信端末起動信号が受信開始されたと判断され（図５、時刻ｔ４）、Ｓ１３７へ進んで時間測定を開始する。一方、１回目ではない場合には、Ｓ１３７を行わずにＳ１３９へ進む。
【００６７】
Ｓ１３９において、外付電話５０が一次閉結されたか否かが判断される。一次閉結されたと判断される場合（Ｓ１３９：ＹＥＳ）にはＳ５１（図３）へ進み、一次閉結されていないと判断される場合（Ｓ１３９：ＮＯ）にはＳ１４１へ進む。
【００６８】
Ｓ１４１において、測定時間が設定時間（５秒）よりも小さいか否かが判断される。設定時間は、例えば、予めユーザ等によって設定される。図５に示すように、情報受信端末起動信号（ＣＡＲ信号）は、０．５秒のオン時間と０．５秒のオフ時間とを有するパルス波形が６回繰り返される信号であり、継続時間は６秒である。よって、情報受信端末起動信号を受信開始してから６秒経過するまでに、交換機７１に対して一次応答しない場合には、タイムアウトとなる。
【００６９】
測定時間が５秒よりも小さい場合（Ｓ１４１：ＹＥＳ）には、まだ情報受信端末起動信号の終了点（図５、時刻ｔ６）に近づいていないと判断され、Ｓ１３へ戻る。一方、測定時間が５秒以上である場合（Ｓ１４１：ＮＯ）には、情報受信端末起動信号の終了点に近づいたことが検出される。よって、外付電話５０が情報受信端末起動信号に対して一次応答しない場合であると判断され、Ｓ８１（図４）へ進み、ＭＦＣ１によって一次応答が行われる。
【００７０】
なお、設定時間は５秒に限られない。設定時間は、タイムアウトの発生を防止するために、情報受信端末起動信号の継続時間（６秒）以下であれば、何れの長さでもよい。
【００７１】
以上説明したとおり、第２実施形態の説明例に係るＭＦＣ１によっても、外付電話５０が情報受信端末起動信号に対して一次応答するか否かを、情報受信端末起動信号のタイムアウトの直前まで待機して監視することが可能となる。
【００７２】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００７３】
なお、ＭＦＣ１は通信装置の一例である。外付電話５０は外部通信装置の一例である。電話回線７０は通信回線の一例である。電話接続端子１１は接続手段の一例である。電流検出回路１９は応答検出手段および受信状態検出手段の一例である。リレー１５は外部通信装置接続手段の一例である。回線接続端子１２は回線接続端子の一例である。リレー１６は通信回線閉結手段の一例である。
【００７４】
また、Ｓ３１を実行する制御部は判別手段の一例である。Ｓ３５を実行する制御部は応答検出手段の一例である。Ｓ４１、Ｓ１４１を実行する制御部は終了点検出手段の一例である。Ｓ５３を実行する制御部は第１取得手段の一例である。Ｓ８５を実行する制御部は第２取得手段の一例である。Ｓ６５、Ｓ９１を実行する制御部は表示手段の一例である。Ｓ５７を実行する制御部は受信状態検出手段の一例である。Ｓ２３、Ｓ２９を実行する制御部は測定手段の一例である。
【符号の説明】
【００７５】
１  ＭＦＣ
１１  電話接続端子
１２  回線接続端子
１５、１６  リレー
１９  電流検出回路
３０  ＣＰＵ
３９  モデム部
４１  表示部
５０  外付電話
７０  電話回線
ＲＬ１  経路
ＲＬ２  バイパス経路
【図１】
2011166479.tif 000003
【図２】
2011166479.tif 000004
【図３】
2011166479.tif 000005
【図４】
2011166479.tif 000006
【図５】
2011166479.tif 000007
【図６】
2011166479.tif 000008
【図７】
2011166479.tif 000009